(57)【要約】【課題】本考案は、含浸した汚れ除去用液体がすぐに蒸発せず、綿の落下による汚れがなく、かつ汚れ除去用液体の蒸発臭もなく環境上で優れ、さらにはチップ部材を容易に取替え可能な構造として作業効率の向上を図った汚れ除去用具の提供を目的とする。【解決手段】軸部が、中空の本体軸と、これに挿入嵌合される中空で先端口元に空気穴がある先口軸とからなり、軸の両端をキャップにより密閉し、本体軸中に吸収体を装着し、先口軸の先端にチップ部材を差し込み、装着された吸収体に、汚れ除去用液体を吸い上げ貯留させ、そこに抜き取り可能なチップ部材の基端部が接触され、毛細管現象によりチップ先端に汚れ除去用液体が通じる構造を具備した、ことを特徴とする汚れ除去用具で、上記の課題を解決する。【選択図】図１
0003130209.tif 000002
【実用新案登録請求の範囲】
【請求項１】
軸部が、中空の本体軸と、これに挿入嵌合される中空で先端口元に空気穴がある先口軸とからなり、軸の両端をギャップにより密閉し、本体軸中に吸収体を装着し、先口軸の先端にチップ部材を差し込み、装着された吸収体に、汚れ除去用液体を吸い上げ貯留させ、そこに抜き取り可能なチップ部材の基端部が接触され、毛細管現象によりチップ先端に汚れ除去用液体が通じる構造を具備した、ことを特徴とする汚れ除去用具。
【請求項２】
汚れ除去用具におけるチップ部材が、ポリプロピレン繊維を集束して繊維間の接触点が接着剤を用いずに融着または溶着することにより形成した長手方向に連続した空隙を内包した気孔率６０〜６５％の棒状繊維束である、ことを特徴とする請求項１記載の汚れ除去用具。
【請求項３】
汚れ除去用具における吸収体が、ポリプロピレン繊維を集束して繊維間の接触点が接着剤を用いず融着または溶着することにより形成した長手方向に連続した空隙を内包した気孔率８０〜８５％の棒状繊維束であり、その側面がポリプロピレンで被覆されている、ことを特徴とする請求項１〜２記載の汚れ除去用具。
【請求項４】
汚れ除去用具における吸収体が、ポリプロピレン繊維を集束して繊維間の接触点が接着剤を用いず融着または溶着することにより形成した長手方向に連続した空隙を内包した気孔率８０〜８５％の棒状繊維束であり、その側面がポリプロピレンで被覆されている、ことを特徴とする汚れ除去用具における吸収体。
【請求項５】
汚れ除去用具におけるチップ部材が、ポリプロピレン繊維を集束して繊維間の接触点が接着剤を用いずに融着または溶着することにより形成した長手方向に連続した空隙を内包した気孔率６０〜６５％の棒状繊維束である、ことを特徴とする汚れ除去用具におけるチップ部材。
【考案の詳細な説明】
【技術分野】
【０００１】  本考案は、汚れ除去用具およびその部材の改良に関する。
【背景技術】
【０００２】  プリント基板やフレキシブル回路基板の製造あるいは取り扱い時において、溶剤液でしか除去できない小面積の汚れを除去するために、従来は綿棒の先端に溶剤液を含ませて擦り取っていた。しかしながら、この方法では、含浸した液はすぐに蒸発し、綿が落下して汚れる問題があり、さらには溶剤の蒸発による環境上の問題を有していた。
【考案の開示】
【考案が解決しようとする課題】
【０００３】  本考案の解決しようとする課題は、含浸した汚れ除去用液体の蒸発が少なく、綿の落下による汚れがなく、汚れ除去用液体の蒸発による環境上の問題が少ない汚れ除去用具の開発であったが、本考案によりこれらの課題を解決し、さらにチップ部材を容易に取替え可能な構造に改良して作業効率を向上させた。
【課題を解決するための手段】
【０００４】  本考案は、
（１）軸部が、中空の本体軸と、これに挿入嵌合される中空で先端口元に空気穴がある先口軸とからなり、軸の両端をキャップにより密閉し、本体軸中に吸収体を装着し、先口軸の先端にチップ部材を差し込み、装着された吸収体に汚れ除去用液体を吸い上げ貯留させ、そこに抜き取り可能なチップ部材の基端部が接触され、毛細管現象によりチップ先端に汚れ除去用液体が通じる構造を具備した、ことを特徴とする汚れ除去用具。【０００５】  さらには、
（２）上記の（１）項において、汚れ除去用具におけるチップ部材が、ポリプロピレン繊維を集束して繊維間の接触点が接着剤を用いずに融着または溶着することにより形成した長手方向に連続した空隙を内包した気孔率６０〜６５％の棒状繊維束である、ことを特徴とする汚れ除去用具。【０００６】  さらには、
（３）上記の（１）、（２）項において、汚れ除去用具における吸収体が、ポリプロピレン繊維を集束して繊維間の接触点が接着剤を用いずに融着または溶着することにより形成した長手方向に連続した空隙を内包した気孔率８０〜８５％の棒状繊維束であり、その側面がポリプロピレンで被覆されている、ことを特徴とする汚れ除去用具。【０００７】  さらには、
（４）汚れ除去用具における吸収体が、ポリプロピレン繊維を集束して繊維間の接触点が接着剤を用いず融着または溶着することにより形成した長手方向に連続した空隙を内包した気孔率８０〜８５％の棒状繊維束であり、その側面がポリプロピレンで被覆されている、ことを特徴とする汚れ除去用具における吸収体。【０００８】  さらには、
（５）汚れ除去用具におけるチップ部材が、ポリプロピレン繊維を集束して繊維間の接触点が接着剤を用いずに融着または溶着することにより形成した長手方向に連続した空隙を内包した気孔率６０〜６５％の棒状繊維束である、ことを特徴とする汚れ除去用具におけるチップ部材。
を提供する。
【考案の効果】
【０００９】  本考案の汚れ除去用具は、汚れ除去用液体を含む、吸収体およびチップ部材を、密閉嵌合した軸部とキャップで包み込むことにより、汚れ除去用液体を蒸発し難い構造とし、使用中もチップ部材の先端のみからしか蒸発の余地がない構造としたことにより、使用する汚れ除去用液体の蒸発による消耗と環境汚染問題を解決した。さらには、チップ部材に特殊の素材を用いることにより綿棒での綿の落下問題を解決し、さらには、チップ部材を差し替え容易な構造に改良したことにより作業効率の向上に寄与できた。これらの工夫により従来使用の技術から驚くべき大幅な改良が本考案によりもたらされた。
【考案を実施するための最良の形態】
【００１０】  図１に示されるように、本考案の、軸部は、中空の本体軸（１）と、これに挿入嵌合される中空の先口軸（２）とからなり、軸の両端をキャップ（３）により密閉されている。【００１１】  本体軸（１）の材質は、汚れ除去用液体に対して耐えられる耐薬品性（特に耐溶剤性、耐酸性、耐アルカリ性）に比較的強く比較的安価なポリプロピレンを使用するのが好ましい。本体軸の片端に先口軸（２）の大口径の部が挿入嵌合される。先口軸の材質は、本体軸と同じポリプロピレンが好ましい。軸の両端かぶせて密閉するキャップ（３）の材質も、本体軸と同じポリプロピレンが好ましい。本体軸側のキャップは吸収体に汚れ除去用液体を含浸させる作業中以外は汚れ除去用液体の消耗、蒸発を避けるため密閉しておくことを原則とする。【００１２】  吸収体（４）は、図３に示す形状の部材で、その材質は、汚れ除去用液体に対して耐えられる耐薬品性（特に耐溶剤性、耐酸性、耐アルカリ性）に比較的強く比較的安価なポリプロピレンが好ましい。汚れ除去用液体を吸収させる目的にかなうために、ポリプロピレン繊維を集束して、構成する繊維間の接触点が接着剤を使用しない融着または溶着により、長手方向に連続した空隙を内包し、断面円形の棒状繊維束が形成され、さらにその側面である外皮がポリプロピレンで被覆されていることが好ましい。また吸収体の気孔率は、吸収させる液体の保持とチップ部材への移行のためから、８０〜８５％であることが好ましい。【００１３】  吸収体（４）は、本体軸（１）のキャップ（３）を外し後方から出し入れされ、吸収体（４）が挿入されて、先口軸（２）の内部リブで受け後部キャップが嵌合密閉される。先口軸（２）の先端口元に空気穴があることが、汚れ除去用液体を円滑にチップ部材から出すためには必要である。【００１４】  チップ部材（５）は、図２に示す形状の部材で、その材質は、汚れ除去用液体に対して耐えられる耐薬品性（特に耐溶剤性、耐酸性、耐アルカリ性）に比較的強く比較的安価なポリプロピレンが好ましい。汚れ除去用液体を吸収させる目的にかなうため、ポリプロピレンの繊維を集束し、繊維間の接触点が接着剤を使用しない融着または溶着することにより、長手方向に連続した空隙を包含する棒状繊維束が形成され、チップ部材の気孔率は６０〜６５％であることが、汚れ除去用液体を吸収体から毛細管現象でチップ部材先端まで通じさせるために好ましい。この棒状の繊維集束を切断し、一端は円形断面として吸収体と接触され、他端は傾斜角度５０〜６０度に切断されるのが好ましく、汚れ除去用具の先端部として先口軸に挿入される。汚れ除去用具のチップ部材の他端の切断面は傾斜角度のないストレートもしくは砲弾形、ブラッシ形などでも可能である。【００１５】  汚れたチップ部材は、安価な消耗部材として、容易に抜きとり、新品のチップ部材を差し込んで使用を繰り返すことができる。【００１６】  吸収体（４）に吸収させる、汚れ除去用液体としては、具体的にはエタノール、メタノール、イソプロピルアルコール、メチルエチルケトン、トルエン、シンナー、アセトン、しみ取り液およびこれらの混合物、またはこれらの水溶液などが挙げられる。【００１７】  本考案の、汚れ除去用具は以下��ようにして使用することができる。
１）  本体軸（１）の後部キャップ（３）を外して吸収体（４）をつまんで取り出す。
２）  次いで、つまみ出した吸収体（４）の一端を、汚れ除去用液体に１０秒程度浸すと、毛細管現象により液が自然に吸い上げられる。
３）  液を含んだ吸収体（４）を本体軸（１）に戻し、キャップ（３）を被せて密閉する。
４）  吸収した液がなくなったら、１）〜３）の作業を繰り返す。
５）  先端のチップ部材（５）は、先口軸先端に挿入後２０〜３０秒で、全体に液が吸いあがり、吸収体（４）から連続して液が供給される。
６）  先端のチップ部材（５）で汚れを適宜溶かして除去する。
７）  チップ部材（５）は、汚れたら抜き取り、新品のチップ部材を差し込んで繰り返し使用する。
【図面の簡単な説明】
【００１８】
【図１】本考案の汚れ除去用具の全体側面断面図である。
【図２】本考案の汚れ除去用具のチップ部材の斜視図である。
【図３】本考案の汚れ除去用具の吸収体の斜視図である。
【符号の説明】
【００１９】１：  本体軸
２：  先口軸
３：  キャップ
４：  吸収体
５：  チップ部材
【図１】
0003130209.tif 000003
【図２】
0003130209.tif 000004
【図３】
0003130209.tif 000005
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
軸部が、中空の本体軸と、これに挿入嵌合される中空で先端口元に空気穴がる先口軸とからなり、軸の両端をキャップにより密閉し、本体軸中に吸収体を装着し、先口軸の先端にチップ部材を差し込み、装着された吸収体に、汚れ除去用液体を吸い上げ貯留させ、そこに抜き取り可能なチップ部材の基端部が接触され、毛細管現象によりチップ先端に汚れ除去用液が通じる構造を具備した、ことを特徴とする汚れ除去用具。
【請求項２】
汚れ除去用具におけるチップ部材が、ポリプロピレン繊維を集束して繊維間の接触点が接着剤を用いずに融着または溶着することにより形成した長手方向に連続した空隙を内包した気孔率６０〜６５％の棒状繊維束である、ことを特徴とする請求項１記載の汚れ除去用具。
【請求項３】
汚れ除去用具における吸収体が、ポリプロピレン繊維を集束して繊維間の接触点が接着剤を用いず融着または溶着することにより形成した長手方向に連続した空隙を内包した気孔率８０〜８５％の棒状繊維束であり、その側面がポリプロピレンで被覆されている、ことを特徴とする請求項１〜２のいずれか１項に記載の汚れ除去用具。